(57)【要約】【課題】  電子透かし情報検出における処理時間の短縮をはかる。【解決手段】  入力画像に電子透かし情報が埋め込まれた後、その電子透かし情報をブロック単位で検出し、当該ブロック毎その読み取り易さのレベルを示す検出評価データを生成する。また、生成される検出評価データを記憶し、あらかじめ設定される閾値と比較して抽出されたブロックにおける検出評価データのレベルの高いブロック順に電子透かし情報の検出を行う。【選択図】    図３
2005229508.tif 000002
【特許請求の範囲】
【請求項１】
画像を格子状の任意サイズのブロックに分割し、当該ブロックを単位に電子透かし情報を埋め込む電子透かし埋め込みシステムであって、
指定される埋め込み強度と埋め込む電子透かし情報とに基づき、画像に、前記電子透かし情報を埋め込む電子透かし埋め込み手段と、
前記画像に前記電子透かし情報を埋め込み後、当該電子透かし情報をブロック単位で検出し、当該ブロック毎に読み取り易さのレベルを示す検出評価データを生成する検出評価データ生成手段と、
を備えたことを特徴とする電子透かし埋め込みシステム。
【請求項２】
前記検出評価データのレベルの高いブロック順に前記電子透かし情報の検出を行う電子透かし検出手段と、
を備えたことを特徴とする請求項１に記載の電子透かし埋め込みシステム。
【請求項３】
あらかじめ設定される閾値と比較して抽出されたブロックにおける前記検出評価データのレベルの高いブロック順に前記電子透かし情報の検出を行う電子透かし検出手段と、
を備えたことを特徴とする請求項１に記載の電子透かし埋め込みシステム。
【請求項４】
電子透かし検出手段は、
前記電子透かし情報が読み取れなかった場合、前記埋め込み強度を変えて埋め込むか、もしくは、前記閾値のレベルを変更して再度前記電子透かし情報の検出を行うこと、
を特徴とする請求項２または３に記載の電子透かし埋め込みシステム。
【請求項５】
画像を格子上の任意サイズのブロックに分割し、当該ブロックを単位に電子透かし情報を埋め込む電子透かし埋め込みシステムであって、
指定される電子透かし情報を前記画像に埋め込む電子透かし埋め込み手段と、
前記電子透かし情報が埋め込まれた画像に雑音を与えて画像を劣化させ、前記雑音を与える強度毎に前記電子透かし情報をブロック単位で検出し、当該ブロック毎に読み取り易さのレベルを示す検出評価データを生成する検出評価データ生成手段と、
を備えたことを特徴とする電子透かし埋め込みシステム。
【請求項６】
画像を格子状の任意サイズのブロックに分割し、当該ブロックを単位に電子透かし情報を埋め込む電子透かし埋め込み検出方法であって、
指定される埋め込み強度と埋め込む電子透かし情報とに基づき、画像に、前記電子透かし情報を埋め込むステップと、
前記画像に前記電子透かし情報を埋め込み後、当該電子透かし情報をブロック単位で検出し、当該ブロックに読み取り易さのレベルを示す検出評価データを生成するステップと、
前記生成される検出評価データを記憶し、あらかじめ設定される閾値と比較して抽出されたブロックにおける前記検出評価データのレベルの高いブロック順に前記電子透かし情報の検出を行うステップと、
を備えたことを特徴とする電子透かし埋め込み、検出方法。
【請求項７】
画像を格子状の任意サイズのブロックに分割し、当該ブロックを単位に電子透かし情報を埋め込む電子透かし情報埋め込みシステムに用いられる電子透かし検出評価テーブルのデータ構造であって、
指定される埋め込み埋め込む前記電子透かし情報に基づき、画像に前記電子透かし情報を埋め込んだ後、当該電子透かし情報を更に指定される埋め込み強度に従ってブロック単位で検出し、もしくは雑音を与える強度を変えて検出し、当該電子透かし情報が検出されたブロック単位でその読み取り易さのレベルを演算し、電子透かし評価テーブルに書き込まれる、電子透かし検出評価テーブルのデータ構造。
【発明の詳細な説明】
【技術分野】
【０００１】
本発明は、画像を格子状の任意サイズのブロックに分割し、当該ブロックを単位に電子透かし情報を埋め込む、電子透かし埋め込みシステムおよび方法、ならびに同システムに用いられる電子透かし検出評価テーブルのデータ構造に関する。
【背景技術】
【０００２】
画像や音声などのデジタルコンテンツに他の情報を隠し持たせることができる「電子透かし」技術が存在する。
すなわち、「電子透かし」とは、画像データや音声データなどのデジタルコンテンツに他の情報を埋め込み、不可視もしくは不可聴の状態で隠し持たせる技術である。特徴としては、コンテンツの中に別の情報（電子透かし情報）を埋め込むことができ、電子透かし情報はコンテンツを加工（圧縮・切り抜き・拡大・縮小）しても消すことができないことにある。また、コンテンツの品質を保ったまま第３者が電子透かし情報を除去することは困難であり、例えば、電子透かし情報の入ったコンテンツを不正にＷｅｂ（World Wide Web）上で公開するとパトロールシステムによって検知、警告される。
【０００３】
一方、上記した「電子透かし」技術を印刷物に応用した印刷対応電子透かし技術が存在する。図１１（ａ）、（ｂ）に、それぞれ電子透かし入り印刷物製作方法とその検出方法が示されている。
すなわち、デジタル製版工程で処理される画像情報を印刷物になったときに肉眼では認識できない形で変更し、電子透かし用の識別情報を埋め込む。絵柄や色など印刷物の仕上がりにはほとんど影響がなく、人間の肉眼ではその違いが認識できない。この印刷物に関しスキャナなどを用いて再びデジタル化し専用のソフトウェアに入力すると、埋め込まれた電子透かし情報を検出することが可能となる（例えば、特許文献１、特許文献２参照）。
【特許文献１】特開２００２−６４７００号公報
【特許文献２】特開２００３−１４３８８号公報
【発明の開示】
【発明が解決しようとする課題】
【０００４】
ところで、上記した電子透かしは、図１２に示されるように、画像を同じ形状のブロック（ここではブロック１〜１８）に分け、そこに適当な電子透かし情報を埋め込む。そして、電子透かし情報が埋め込まれた画像から電子透かし情報を検出する際、電子透かしが検出され易い位置を特定して検出することができず、従って、電子透かし情報が検出されにくいブロックからも検出を行っているため、全ブロック検出する迄に相当の時間を要する。
【０００５】
本発明は上記事情に鑑みてなされたものであり、電子透かし埋め込み済み画像から電子透かし情報が検出できるブロックを推定し、当該推定したブロックから電子透かし情報の検出を行い、電子透かし情報検出における処理時間の短縮をはかった、電子透かし埋め込みシステムおよび方法、ならびに同システムに用いられる電子透かし検出評価テーブルのデータ構造を提供することを目的とする。
【課題を解決するための手段】
【０００６】
上記した課題を解決するために本発明は、画像を格子状の任意サイズのブロックに分割し、当該ブロックを単位に電子透かし情報を埋め込む電子透かし埋め込みシステムであって、指定される埋め込み強度と埋め込む電子透かし情報とに基づき、画像に、前記電子透かし情報を埋め込む電子透かし埋め込み手段と、前記画像に前記電子透かし情報を埋め込み後、当該電子透かし情報をブロック単位で検出し、当該ブロック毎に読み取り易さのレベルを示す検出評価データを生成する検出評価データ生成手段と、を備えたことを特徴とする。
【０００７】
また、本発明において、前記検出評価データのレベルの高いブロック順に前記電子透かし情報の検出を行う電子透かし検出手段と、を備えたことを特徴とする。
【０００８】
また、本発明において、あらかじめ設定される閾値と比較して抽出されたブロックにおける前記検出評価データのレベルの高いブロック順に前記電子透かし情報の検出を行う電子透かし検出手段と、
を備えたことを特徴とする。
【０００９】
また、本発明において、前記電子透かし検出手段は、前記電子透かし情報が読み取れなかった場合、前記埋め込み強度を変えて埋め込むか、もしくは、前記閾値のレベルを変更して再度前記電子透かし情報の検出を行うこと、を特徴とする。
【００１０】
上記した課題を解決するために本発明は、画像を格子上の任意サイズのブロックに分割し、当該ブロックを単位に電子透かし情報を埋め込む電子透かし埋め込みシステムであって、指定される電子透かし情報を前記画像に埋め込む電子透かし埋め込み手段と、前記電子透かし情報が埋め込まれた画像に雑音を与えて画像を劣化させ、前記雑音を与える強度毎に前記電子透かし情報をブロック単位で検出し、当該ブロック毎に読み取り易さのレベルを示す検出評価データを生成する検出評価データ生成手段と、を備えたことを特徴とする。
【００１１】
上記した課題を解決するために本発明は、画像を格子状の任意サイズのブロックに分割し、当該ブロックを単位に電子透かし情報を埋め込む電子透かし埋め込み検出方法であって、指定される埋め込み強度と埋め込む電子透かし情報とに基づき、画像に、前記電子透かし情報を埋め込むステップと、前記画像に前記電子透かし情報を埋め込み後、当該電子透かし情報をブロック単位で検出し、当該ブロック毎に読み取り易さのレベルを示す検出評価データを生成するステップと、前記生成される検出評価データを記憶し、あらかじめ設定される閾値と比較して抽出されたブロックにおける前記検出評価データのレベルの高いブロック順に前記電子透かし情報の検出を行うステップと、を備えたことを特徴とする。
【００１２】
上記した課題を解決するために本発明は、画像を格子状の任意サイズのブロックに分割し、当該ブロックを単位に電子透かし情報を埋め込む電子透かし情報埋め込みシステムに用いられる電子透かし検出評価テーブルのデータ構造であって、指定される埋め込み強度と埋め込む電子透かし情報に基づき、取り込まれる入力画像に前記電子透かし情報を順次埋め込んだ後、当該電子透かし情報を順次前記指定された埋め込み強度に従ってブロック単位で検出し、当該電子透かし情報が検出されたブロック単位でその読み取り易さのレベルを演算し、電子透かし評価テーブルに書き込まれることを特徴とする。
【発明の効果】
【００１３】
本発明によれば、入力画像に電子透かし情報が埋め込まれた後、その電子透かし情報をブロック単位で検出し、当該ブロック毎その読み取り易さのレベルを示す検出評価データを生成することにより、この検出評価データを参照して電子透かし情報が検出できるブロックを推定し、当該推定したブロックから電子透かし情報の検出を行うことで電子透かし情報検出のための処理時間の短縮がはかれる。
また、検出評価データのレベルの高いブロック順に電子透かし情報の検出を行うことで、画像に埋め込まれた電子透かし情報の読み取りやすい位置がわかり、その位置から電子透かし情報の検出を行うことで効率的に電子透かし情報の検出が可能となる。
【００１４】
更に、電子透かし情報の検出時、その電子透かし情報が読み取れなかった場合、埋め込み強度を変えて埋め込むか、もしくは、閾値のレベルを変更して再度電子透かし情報の検出を行うことで、雑音に対する耐性の強さに対する対応、あるいは印刷物の真贋判定にも利用できる。
なお、検出評価テーブルを作成する際に、電子透かしの強度を変えて埋め込む方法以外に、電子透かしを埋め込んだ画像にぼかし等雑音を与える強度を変えて検出を行い、検出評価テーブルを作成することも考えられる。雑音の強度を強くするほど電子透かしの強度を変える方法に比べて電子透かしは取りにくくなる。
【発明を実施するための最良の形態】
【００１５】
図１は、本発明の電子透かし埋め込み方法の原理を説明するために引用した図である。
図１に示されるように、電子透かし埋め込み装置１は、デジタル画像を入力し、電子透かしを埋め込む強度と埋め込む情報を与えることにより、任意サイズの画像ブロック（ここでは、３×６の１８ブロック）に分割された電子透かし入りデジタル画像を出力する。また、このとき、ブロック毎に電子透かし情報が検出され易いか否かを評価して検出評価テーブル（ＴＢＬ）を生成し、データベースとして用意される電子透かし検出評価ＤＢ６に登録する。ここで、画像ブロック内に示された数値は、電子透かし情報が検出され易いか否かを評価することにより生成されるレベルデータである。詳細は後述する。
【００１６】
図２は、上記のようにして埋め込まれた電子透かし情報を検出する方法の原理を説明するために引用した図である。
図２に示されるように、電子透かし検出装置２で電子透かし検出評価値ＤＢ６から検出する画像ブロックのデータを取得し、その画像ブロックから電子透かし情報を検出する。図中、ハッチングされたブロックは、電子透かし情報を検出する画像ブロックである。詳細は後述する。
【００１７】
図３は、本発明の電子透かし埋め込みシステムの内部構成を機能展開して示したブロック図である。
本発明の電子透かし埋め込みシステムは、電子透かし埋め込み装置１と、電子透かし検出装置２と、入力画像ＤＢ３と、電子透かし埋め込み済み画像ＤＢ４と、検出評価ＴＢＬ生成部５と、電子透かし検出評価値ＤＢ６と、真贋判定部７で構成される。
【００１８】
電子透かし埋め込み装置１は、指定される埋め込み強度と埋め込む電子透かし情報とに基づき、入力画像ＤＢ３からブロック単位で取り込まれる入力画像に、電子透かし情報を埋め込む、電子透かし埋め込み手段として機能する。
また、検出評価データ生成部５は、電子透かし埋め込み装置１により入力画像に電子透かし情報が埋め込まれた後、当該電子透かし情報をブロック単位で検出し、当該ブロック毎、その読み取り易さのレベルを示す検出評価データとして検出評価ＴＢＬを生成する機能を持ち、その検出評価データは、電子透かし検出評価値ＤＢ６に格納される。
【００１９】
一方、電子透かし検出装置２は、電子透かし検出評価値ＤＢ６に格納された検出評価データと、あらかじめ設定される閾値とを比較し、電子透かし埋め込み済み画像ＤＢ４から抽出された画像ブロックにおける検出評価データのレベルの高いブロック順に電子透かし情報の検出を行う電子透かし検出手段として機能する。
電子透かし検出装置２はまた、電子透かし情報が読み取れなかった場合、電子透かし埋め込み装置１をコントロールして埋め込み強度を変えて再度埋め込むか、もしくは、閾値のレベルを変更して再度電子透かし情報の検出を行う機能も合わせ持つ。
なお、真贋判定部７は、電子透かし検出装置２により検出される電子透かし情報に基づき正規の印刷物であるか、不正コピーされた印刷物であるかの判定を行う。
【００２０】
図４に、電子透かし埋め込み装置３による電子透かし情報埋め込みの詳細手順が示されている。
図４において、符号３４は原画像データである。この原画像データ３４をフーリエ変換（３５）することにより、ブロック分割、色空間変換を経て振幅情報３８および位相情報３９を得ることができる。ここで、振幅情報３８は、上記した埋め込み強度に依存する。符号３１は、原画像データ５３４に埋め込む電子透かし情報である。この電子透かし情報３１をスペクトラム拡散（４３）することによって拡散された電子透かし情報が得られる。次に、拡散された電子透かし情報を振幅情報３８に合成する（４５）。さらに、位相情報３９を用いて逆フーリエ変換（４４）を実行し、このことにより電子透かし情報を合成した画像データが得られる。
【００２１】
一方、電子透かし情報の合成によるノイズを画像の局所的な特徴に合わせることでノイズを低減させるために、原画像データ３４をウェーブレット変換し（４０）、原画像データ３４はサブバンド画像に分解され、互いに直交する部分画像で表わされる。そして、この部分画像を基に原画像３４と同じ大きさのエネルギーマップデータを得る（４１：高周波エネルギー算出）。
次に、先に逆フーリエ変換（４４）の処理によって得られた電子透かし情報を合成した画像と原画像データ３４との差分を求める（４７）。更に、上記したエネルギーマップデータ重みマスク作成（４２）の処理を行い、再度、電子透かし情報を原画像データ３４に合成する（４８，４９）。このようにして、電子透かし埋め込み済み画像データが得られ、電子透かし埋め込み済み画像ＤＢ４に格納される。
【００２２】
なお、上記のように埋め込まれた電子透かし情報を検出する場合は、電子透かし検出装置２により以下の手順に従い検出される。つまり、電子透かし検出対象となる電子透かし埋め込み済み画像データは、例えば、印刷物をスキャナなどでスキャンすることによって得られたデジタルデータである。電子透かし埋め込み済み画像データを離散フーリエ変換（図示せず）することにより、同画像データの振幅情報が得られる。
一方、擬似乱数系列を基に、シンボル値検出用系列が得られる。次に、上記した振幅情報とシンボル値検出用系列とを基に、シンボルレスポンス値を算出する処理を行い、シンボル値検出を行う。このように得られたシンボル値に対して、基数変換を行い、検出された電子透かし情報を得る。
【００２３】
図５は、検出評価ＴＢＬ生成部５による電子透かし情報検出評価値の生成過程を説明するために引用した図である。
検出評価ＴＢＬ生成部５は、指定される埋め込み強度と埋め込む電子透かし情報とに基づき、入力画像ＤＢ３から取り込まれる入力画像に対し、電子透かし埋め込み装置１による制御の下で電子透かし情報を順次埋め込む。その後、当該電子透かし情報を順次指定された埋め込み強度に従ってブロック単位で検出し（図５ａ、ｂ、ｃ）、当該電子透かし情報が検出されたブロック単位でその読み取り易さのレベルを演算し、その結果得られる評価値（電子透かし評価ＴＢＬ）を電子透かし検出評価値ＤＢ６に登録する（図５ｄ）。
【００２４】
具体的には、図６に示されるように、まず、埋め込み強度“１００”で電子透かし情報を埋め込み、これが検出される画像ブロックを“１”とし、検出されない画像ブロックを“０”として評価する。次に、埋め込み強度“１００”で電子透かし情報を埋め込み、これが検出される画像ブロックを“１”とし、検出されない画像ブロックを“０”として評価する。更に、埋め込み強度“３００”で電子透かし情報を埋め込み、これが検出される画像ブロックを“１”とし、検出されない画像ブロックを“０”として評価する。
最後に、上記した各強度で電子透かし情報が検出される画像ブロックを評価して、画像ブロック毎の平均値を算出することで電子透かし評価ＴＢＬを作成し、ここで作成された電子透かし評価ＴＢＬを電子透かし検出評価値ＤＢ６に登録する。なお、読み取り易さのレベルは、読み取りやすさを把握することができる数値、記号であればよく、例えば、読み取り易さのレベルの平均値以外、例えば、電子透かしの埋め込み強度の合計値、あるいはその強度によって決まるレベルを適用するようにしてもよい。
【００２５】
図８に、電子透かし情報埋め込みの流れをフローチャートで示す。図８に示されるように、まず、電子透かし埋め込み装置１は、入力画像ＤＢ３から入力画像を取込み（Ｓ８１、Ｓ８２）、パラメータ設定された電子透かし情報および埋め込み強度に従い、その電子透かし情報を埋め込む（Ｓ８３：電子透かし埋め込み処理）。この電子透かし情報が埋め込まれたデジタル画像は、電子透かし埋め込み済み画像ＤＢ４に登録される（Ｓ８９、Ｓ８５）。以上は従来の流れである。
【００２６】
一方、本発明によれば、電子透かし埋め込み装置１は、入力画像ＤＢ３から入力画像を取込み（Ｓ８１、Ｓ８２）、パラメータ設定される電子透かし情報および埋め込み強度の範囲（例えば、１００〜３００）に従い、その電子透かし情報を埋め込む（Ｓ８８：電子透かし埋め込み処理）。次に、この電子透かし埋め込み済み画像から指定された埋め込み強度に従い順次電子透かし情報を検出し（Ｓ８９、Ｓ９０）、その読み取り易さのレベルを評価する。ここでは、埋め込み強度１００〜３００の範囲で検出される電子透かし情報の読取り易さのレベルの平均値を演算して電子透かし検出評価ＴＢＬを作成する（Ｓ９１）。
以上の動作はパラメータ設定された範囲内で順次繰り返される（Ｓ８７〜Ｓ９２）。ここで、指定された範囲を越えたときに順次作成された検出評価ＴＢＬを電子透かし情報検出評価値ＤＢ６に登録する（Ｓ９３、Ｓ９４）。
【００２７】
図７は、電子透かし情報の検出方法の流れを示す図である。ここでは、電子透かし検出装置２で、電子透かし情報検出評価値ＤＢ６から検出すべき画像ブロックのデータを取得し、その画像ブロックに埋め込まれている電子透かし情報を検出する。
図７（ａ）には、埋め込み強度１００で電子透かし情報が埋め込まれた画像を、図７（ｂ）には、そのときに選定され、電子透かし情報の検出を行う検出ブロックがハッチング表示されている。図７（ｂ）に示されるように、上記のように評価され生成された検出評価ＴＢＬから、特定の値（０．６：閾値）以上の画像ブロックを検出ブロックとして選択し、埋め込まれた電子透かし情報の検出を行う。
【００２８】
図９に、電子透かし情報検出の流れがフローチャートで示されている。図９において、まず、電子透かし埋め込み済み画像ＤＢ４から対象画像を取込む（Ｓ１０１、Ｓ１０２）。そして、電子透かし情報検出評価値ＤＢ６から検出評価ＴＢＬを取得し（Ｓ１０３）、特定値以上の評価値を持つ画像ブロックを選定する（Ｓ１０４、Ｓ１０５）。ここでは、評価値が０．６以上の画像ブロックを選択し、評価値が高い画像ブロックから電子透かし情報の検出を行う（Ｓ１０６、Ｓ１０７）。
そして、その検出結果から、真贋判定部７による真贋判定や印刷製品出荷時における電子透かし情報が印刷物に入っているか否かの検査が行われる（Ｓ１０８）。電子透かし情報が検出されるか（Ｓ１０９）、あるいは指定された画像ブロック全てから電子透かし情報が検出されなかった場合に検出処理を終了する（Ｓ１１０）。
【００２９】
なお、ここで、電子透かし情報取得が不可だった時点で処理を終了することもできるが、電子透かし情報を埋め込み時に埋め込み強度を上げて埋め込み、あるいは、検出画像ブロックの選定で指定した閾値を低く再設定し再検出を行うことも可能である。
一方、正規の印刷物を利用して複写した場合、検出評価ＴＢＬの評価値が高い画像ブロックは、複写品からも電子透かし情報が検出される可能性がある。しかしながら、中間付近の評価値を持つ画像ブロックでは、正規の印刷物から電子透かし情報が検出され、複写品では、雑音が付加され、電子透かし情報の検出が困難になる。このことを利用して真贋判定が可能である。
【００３０】
なお、上記した本発明実施形態によれば、検出評価テーブルを作成する際に、電子透かしの強度を変えて埋め込む方法についてのみ説明したが、他に、電子透かしを埋め込んだ画像に、ぼかし等雑音を与える強度を変えて検出を行い、検出評価テーブルを作成することも考えられる。画像に雑音を与えるのは電子透かしの埋め込み後に行い、雑音の強度を強くするほど電子透かしは取りにくくなる。
また、上記した本発明実施形態によれば、画像を格子状の任意サイズのブロックに分割し、その分割されたブロックを単位に電子透かし情報を埋め込むこととしたが、例えば、図１０（ｂ）に示されるように、格子が重なる場合にも同様に適用を可能とする。図１０（ａ）は、格子が重なることなく任意サイズのブロックに分割される例が示されている。
【００３１】
以上説明のように本発明は、入力画像に電子透かし情報が埋め込まれた後、その電子透かし情報をブロック単位で検出し、当該ブロック毎その読み取り易さのレベルを示す検出評価データを生成することにより、この検出評価データを参照して電子透かし情報が検出できるブロックを推定し、当該推定したブロックから電子透かし情報の検出を行うことで電子透かし情報検出における処理時間の短縮をはかり、性能向上をはかるものである。
また、検出評価データのレベルの高いブロック順に電子透かし情報の検出を行うことで、画像に埋め込まれた電子透かし情報の読み取りやすい位置がわかり、その位置から電子透かし情報の検出を行うことで効率的に電子透かし情報の検出が可能となる。更に、電子透かし情報の検出時、その電子透かし情報が読み取れなかった場合、埋め込み強度を変えて埋め込むか、もしくは、閾値のレベルを変更して再度電子透かし情報の検出を行うことで、雑音に対する耐性の強さに対する対応、あるいは印刷物の真贋判定にも利用できる。
【００３２】
なお、検出評価テーブルを作成する際に、電子透かしの強度を変えて埋め込む方法以外に、電子透かしを埋め込んだ画像にぼかし等雑音を与える強度を変えて検出を行い、検出評価テーブルを作成してもよい。この場合、雑音の強度を強くするほど電子透かしの強度を変える方法に比べて電子透かしは取りにくくなる。
【図面の簡単な説明】
【００３３】
【図１】本発明の電子透かし埋め込み方法の原理を説明するために引用した図である。
【図２】電子透かし情報を検出する方法の原理を説明するために引用した図である。
【図３】本発明の電子透かし埋め込みシステムの内部構成を機能展開して示したブロック図である。
【図４】電子透かし埋め込み装置による電子透かし情報埋め込みの詳細手順を示す図である。
【図５】検出評価ＴＢＬ生成部による電子透かし情報検出評価値の生成過程を説明するために引用した図である。
【図６】検出評価ＴＢＬ生成部による電子透かし情報検出評価値の生成過程を説明するために引用した図である。
【図７】電子透かし情報検出方法の流れを示す図である。
【図８】電子透かし情報埋め込み処理の流れを示すフローチャートである。
【図９】電子透かし情報検出処理の流れを示すフローチャートである。
【図１０】画像を任意サイズのブロックに分割したときの模式図である。
【図１１】従来の電子透かし情報埋め込み、検出方法の流れを示す図である。
【図１２】従来の電子透かし情報を検出する際の問題を説明するために引用した図である。
【符号の説明】
【００３４】
１…電子透かし埋め込み装置、２…電子透かし検出装置、３…入力画像ＤＢ、４…電子透かし埋め込み済み画像ＤＢ、５…検出評価ＴＢＬ生成部、６…電子透かし検出評価値ＤＢ、７…真贋判定部
【図１】
2005229508.tif 000003
【図２】
2005229508.tif 000004
【図３】
2005229508.tif 000005
【図４】
2005229508.tif 000006
【図５】
2005229508.tif 000007
【図６】
2005229508.tif 000008
【図７】
2005229508.tif 000009
【図８】
2005229508.tif 000010
【図９】
2005229508.tif 000011
【図１０】
2005229508.tif 000012
【図１１】
2005229508.tif 000013
【図１２】
2005229508.tif 000014